(57)【要約】  本発明は、自動車のエンジンから車両の従動輪へとトルクを伝達するよう設計された自動操作機能を有するギヤ・システムに関連し、そのギヤ・システムにおいては、車両速度の変化が、エンジンによって生成されたトルクと車両の慣性モーメントとの関数として、制御される。
2015500968.tif 000002
【特許請求の範囲】
【請求項１】
エンジンから従動軸（４）へとトルクを伝達するスケーリング要素（２）と、
前記エンジンによって生成された前記トルクを前記スケーリング要素（２）へと伝達する駆動軸（３）と、
前記スケーリング要素（２）によって生成された力を車両の車輪へと伝達する従動軸（４）と、
ロック部（１２）と、
を含むことを特徴とする、自動慣性無段変速機。
【請求項２】
前記スケーリング要素（２）が、
（ｉ）減速機構（５）と、
（ｉｉ）サテライト要素（６）と、
（ｉｉｉ）タービン（７）と、
（ｉｖ）フィン付き構造体（８）と、
（ｖ）第１の接続リング（９）と、
を含むギヤ・セットであることを特徴とする、請求項１に記載の自動変速機。
【請求項３】
前記減速機構が、１：５から１：２５までの範囲内で回転の減速を促進し、前記減速の結果として得られる力を前記従動軸へと伝達し、且つ軌道運動を有するプラネタリ型ギヤを相互連結する剛体構造を有することを特徴とする、請求項２に記載の自動変速機。
【請求項４】
前記プラネタリ・ギヤが互いに対して１２０°の角度で配置される、請求項３に記載の自動変速機。
【請求項５】
前記減速機構が、前記駆動軸の係合を可能にする入口と、前記減速機構を前記従動軸又は他のプラネタリ・ギヤのセットへと連結するピニオンと、を有することを特徴とする、請求項２に記載の自動変速機。
【請求項６】
前記サテライト要素は、前記フィン付き構造体の内側に固定されており、周囲には前記サテライト要素が動くような状態で前記タービンが配置されており、その内部に配置された前記減速機構の回転速度を増大させることを特徴とする、請求項２に記載の自動変速機。
【請求項７】
前記タービンが第１の接続リングを介して前記従動軸へと接続されており、その外部表面構造において、フィン、磁石又はスロットからなる組に属する構造を有することを特徴とする、請求項２に記載の自動変速機。
【請求項８】
前記フィン付き構造体が、前記サテライト要素と保護ケーシングとに接続されていることを特徴とする、請求項２に記載の自動変速機。
【請求項９】
前記第１の接続リングは、前記タービンの運動を許可しながら、前記タービンを前記従動軸へと接続する、請求項２に記載の自動変速機。
【請求項１０】
前記タービンの前記外部表面構造が、前記フィン付き構造体へと伝達される液圧、磁力又は牽引力であり得る追加的なパワーを発生させることを特徴とする、請求項７に記載の自動変速機。
【請求項１１】
前記スケーリング要素が潤滑液中に浸漬されていることを特徴とする、請求項１に記載の自動変速機。
【請求項１２】
前記タービンの前記外部表面構造によって生成される力が、前記サテライト要素の回転を発生させるように前記フィン付き構造体の回転を促進することを特徴とする、請求項２に記載の自動変速機。
【請求項１３】
前記サテライト要素の前記回転が前記減速機構へと伝達され、前記減速機構がより高速で回転してこの速度の増大を前記従動軸へと伝達し、結果的に前記タービンへも伝達することを特徴とする、請求項１２に記載の自動変速機。
【請求項１４】
前記減速機構によって実行される前記回転の前記減速が、前記車両の慣性モーメントの変化に依存して、１：２５〜１：１の間の範囲で、フィードバックにより変化することを特徴とする、請求項１３に記載の自動変速機。
【請求項１５】
前記ロック部が、以下の要素、即ち
（ｉ）ギヤ（１３）と、
（ｉｉ）ドラム（１４）と、
（ｉｉｉ）ピン及びスプリング（１５）と、
（ｉｖ）接続リング（１６ａ，１６ｂ）と、
を含むことを特徴とする、請求項１に記載の自動変速機。
【請求項１６】
前記ギヤが前記ドラムの内部に挿入され、前記ドラムの回転方向を制御する機能を有することを特徴とする、請求項１５に記載の自動変速機。
【請求項１７】
前記ドラムが、前記スケーリング要素をブレーキングする役割を担っており、且つ前記フィン付き構造体に対して固定されていることを特徴とする、請求項１５に記載の自動変速機。
【請求項１８】
前記ギヤは前記ドラムの前記回転方向が前記駆動軸の回転方向と同じとなることを許可するものであり、前記車両のギヤの連続的なスケーリングを促進することを特徴とする、請求項１５に記載の自動変速機。
【請求項１９】
前記ギヤは前記駆動軸とは反対方向に前記ドラムが回転することを可能にするものであり、回転運動を前記従動軸に対して伝達することなく係合されたままとなってビルトイン・クラッチとして機能することを特徴とする、請求項１５に記載の自動変速機。
【請求項２０】
前記ピン及びスプリングは、前記ロック部の前記ドラムをブレーキングすることを特徴とする、請求項１５に記載の自動変速機。
【発明の詳細な説明】
【技術分野】
【０００１】
本発明の適用分野は、エンジンから駆動輪へのトルクの伝達のためのギヤ・システムに関連する。本発明は機械工学分野に属するものであり、自己推進型車両の駆動軸と従動軸との間に配置されるギヤボックスで構成された、無段変速機の１つのモデルを扱うものである。
【背景技術】
【０００２】
自動車のトルクを駆動輪において伝達するよう設計されたギヤ・システムは、変速機又はギヤボックスとしても知られている。自動車用の変速機の主なタイプは、手動変速機、自動変速機及びＣＶＴタイプの変速機（無段変速機）である。
【０００３】
手動変速機は、異なるサイズのギヤと協働して個別に係合され及び離脱される一方で、ギヤ・システムを使用する自動変速機システムは、可変数で異なるサイズのギヤ（異なる歯数）を持ち得る減速ギヤとクラウン・ギヤとを含むサン・ギヤ・アッセンブリを含む。これらのシステムにおいては、ギヤが互いに噛み合い、力／速度の関係は、係合されたギヤ間の関係によって与えられる。
【０００４】
更に、無限数のギヤ比をシミュレートするＣＶＴタイプの変速機システム（無段変速機）も存在する。ＣＶＴは通常、サイズが変化する２つのプーリーを含むシステムを連結するベルトを含むセットに関して用いられる。トルクを無段方式で伝達するために、錐状体、球体、円環体及び他の独創的な解決策が、ＣＶＴタイプの変速機において使用されている。
【０００５】
手動変速機が装備された車両においては、ギヤ・シフトが運転者によって実行される必要があるため、たとえギヤ・チェンジの期間中に車両からの迅速な応答が得られたとしても、定常的な車の運転作業は厄介なものとなる。自動変速機又はＣＶＴが装備された車両に関しては、これらの応答が迅速とは言えないが、運転作業における快適性は遥かに高い。市場にある多くのＣＶＴシステムはまた、可変の幾何学的断面を有するパーツ同士間の摩擦によるトルクの伝達に基づいている。この方法は、摩擦に基づいているという理由から、完全に噛み合うギヤ・ソリューションと比べて、信頼性及び拡張性において劣っている。ＣＶＴの他の弱点は、各状況についての理想的なギヤ比を選択するプロセスであり、通常は遅延が発生し、複雑な電子的システムに基づいている。
【０００６】
本発明は上述の３つの課題についての解決策を提供する。即ち、ＣＶＴの全ての利点を活かして快適な運転を可能にし、摩擦を介したトルクの伝達に関係する問題を解消し、更に、簡素で即時的で且つ十分な機械的フィードバックであり、ギヤの関係が最適化されて車両の慣性だけに基づくフィードバックを構成する。
【０００７】
この分野の現状技術において、手動変速機の連続的なシフトに起因する非快適性や、自動変速機又はＣＶＴシステムを装備した車両の遅い応答に関連した問題に対し、多様な解決策を示す複数の文書が存在する。
【０００８】
特許文献１は、半自動変速機のために二段連結された電磁的メカニズムを記載しており、これはリカバリ速度を害することなくギヤ・チェンジにおいて快適性を向上させることを目的にしたものであって、特に自動二輪車に適している。
【０００９】
特許文献２は、連続的なギヤ・シフトにおける現存の非快適性を部分的に緩和しながらギヤの噛合い及び離脱を促進させる液圧シリンダを含む、手動変速機を記載している。
【００１０】
特許文献３は、自動ギヤ・シフトのためにプラネタリの２つ以上の段階を使用する自動変速機を記載しており、ギヤの離脱や制御装置の存在を不要とするものである。しかしこの変速機は、現存するギヤ・シフトの遅延の問題を解決してはいない。
【００１１】
特許文献４は、８個のギヤ比を含む自動変速機を記載しており、エンジン・トルクの小さな変化に従って係合する。この技術は、ギヤの個数を増やすことによって車両応答を改善することを目的としている。
【先行技術文献】
【特許文献】
【００１２】
【特許文献１】ブラジル国実用新案出願第８５００００６−０号明細書
【特許文献２】米国特許第６，８９２，５９９号明細書
【特許文献３】カナダ国特許出願公開第２７３６９３１号明細書
【特許文献４】米国特許第７，９５１，０３９号明細書
【発明の概要】
【発明が解決しようとする課題】
【００１３】
本発明は、エンジンから車輪へとトルクを伝達できる自動慣性無段変速機であって、好ましくは、エンジンによって生成されたトルクと車両がその中にある慣性のモーメントとの関数として、車両速度のシフト制御機能を有する自動変速機に関する。
【００１４】
この目的は、ギヤ・セットと駆動軸とスケーリング要素と従動軸とロック部とを含む、自動慣性無段変速機によって達成される。
【００１５】
駆動軸は車両のエンジンから延び、モーターにより生成された回転をエスカレーション要素へと伝達する。エスカレーション要素は回転を低減し、結果として得られる力を従動軸へと伝達して、それにより、運動を車輪へと供給する。
【００１６】
本発明の理解を促進させるために、添付の図面は本発明の可能な実施例の代表例を示す。
【図面の簡単な説明】
【００１７】
【図１】本発明に係る自動慣性無段変速機の構成要素のアッセンブリの拡大された斜視図の代表例を示す。
【図２】減速機構の駆動軸と従動軸との係合のメカニズムの斜視図の代表例を示す。
【図３】ギヤ減速機構とその構成要素のパーツを示す。
【図４】サテライト要素の内部に設けられたスケーリング要素の詳細な斜視図である。
【図５】タービン内に挿入されたスケーリング要素の正面図である。
【図６】スケーリング要素の構成要素の間に発生する瞬時の慣性フィードバック力を表すフローチャートを示す。
【図７】ロック部の構成要素の分解図の代表例を示す。
【図８】性能試験の速度のグラフを示す。
【発明を実施するための形態】
【００１８】
本発明は、本願明細書の不可欠の部分である図面を参照しながら以下の詳細な説明を読むことで、より良い理解が得られるであろう。
【００１９】
本発明は、車両のエンジンから車輪へとトルクを伝達できる、自動慣性無段変速機（１）について記述するものである。図１から分かるように、自動慣性無段変速機（１）は、
−  駆動軸（３）によってモーターから伝達されるトルクを従動軸（４）へと伝達するスケーリング要素（２）と、
−  エンジンによって生成されるトルクをスケーリング要素（２）へと伝達する駆動軸（３）と、
−  スケーリング要素（２）によって生成される力を車両の車輪へと伝達する従動軸（４）と、
−  ロック部（１２）と、
−  保護ケーシング（１０ａ、１０ｂ、１０ｃ）と、
を含む。
【００２０】
スケーリング要素（２）は１セットのギヤであり、
（ｉ）減速機構（５）と、
（ｉｉ）サテライト要素（６）と、
（ｉｉｉ）タービン（７）と、
（ｉｖ）フィン付き構造体（８）と、
（ｖ）第１のリング接続部（９）と、
を含む。
【００２１】
スケーリング要素（２）は、潤滑油などの流体潤滑剤の中に浸漬されている。
【００２２】
減速機構（５）は、モーターからスケーリング要素（２）へと駆動軸（３）によって伝達される回転の減速を促進して、その減速の結果として得られる力を従動軸（４）へと伝達する。
【００２３】
図３から分かるように、減速機構（５）は剛体フレーム（５Ｂ）を有し、この剛体フレームは軌道運動を有するギヤ（５Ａ）を相互連結している。剛体構造（５Ｂ）は三角形の形状を有し、互いに対して１２０°の角度で配置されたプラネタリ・タイプの３個のギヤ（５Ａ）を相互連結している。
【００２４】
減速機構（５）は、入口（５Ｃ）と出口ピニオン（５Ｄ）とを有する。入口の穴（５Ｃ）は、駆動軸（３）が減速機構（５）内で係合することを可能にする役割を担う。図４から分かるように、出口ピニオン（５Ｄ）は、減速機構を従動軸（４）又はギヤ（５）の他のセットへと連結するために使用されている。
【００２５】
ここに示す例では２個の減速機構（５）が含まれているが、当業者であれば誰でも、達成すべき要求された減速比に応じて、可変数の減速機構（５）が存在し得ることを理解するであろう。図４の実例において減速機構（５）によって実行される減速比は、本発明の自動慣性無段変速機（１）内に含まれる減速機構（５）の個数に依存して、１：５から１：２５までの範囲内である。
【００２６】
サテライト要素（６）は歯付きの内側表面を有し、その外側表面は滑らかである。このサテライト要素（６）はフィン付き構造体（８）の内側に固定され、その周囲にはタービン（７）が物理的に接触しないように配置されている。このサテライト要素（６）の一次機能は、内側に配置された減速機構（５）の回転運動の速度を増大させることである。
【００２７】
タービン（７）は第１の接続リング（９）によって従動軸（４）へと接続されている。従って、タービン（７）は従動軸（４）に対して連帯的な枢軸運動を示すが、しかしこの運動は従動軸（４）に対して比例的な関係を示してもよく、必ずしも１：１である必要はない。
【００２８】
フィン付き構造体（８）はサテライト要素（６）と外殻部１０ｂとに連結されている。このフィン付き構造体（８）はタービン（７）によって生成される液圧力によって動かされる。その機能は、ギヤ比を連続的に変化させながら従動軸（４）へとパワーを伝達することに役立つことである。
【００２９】
第１のリング接続部（９）は、タービン（７）の従動軸（４）に対する連帯的な枢軸運動が可能となるように、タービン（７）を従動軸（４）へと接続する。
【００３０】
タービン（７）は、その外部表面要素において、フィン、磁石又は溝からなる組に属する要素を有する。好ましくは、タービン（７）の外部表面は、（図１に示すように）フィンを有する。タービン（７）の外部表面の構造は、継手のタイプに依存して、液圧力、磁力又は牽引力であり得る特別なパワーを発生させ、そのパワーがフィン付き構造体（８）へと伝達される。
【００３１】
従って、駆動軸（３）により生成された回転の変換と、従動軸（４）に対するそれらの伝達とは、減速機構（５）へと直接的に伝達された力と、フィン付き構造体（８）に対してタービン（７）によって生成された力と、の両方によって実現される。
【００３２】
添付の図面において例示した方法に従えば、タービン（７）はその外側にフィンを有している。スケーリング（２）の全ての要素は潤滑液中に浸漬されているので、タービン（７）のフィンは、フィン付き構造体（８）の回転を促進するような液圧力を発生させる。また、サテライト要素（６）はフィン付き構造体（８）に固定されているため、サテライト要素（６）とフィン付き構造体（８）とは一体に回転する。
【００３３】
サテライト要素（６）の回転運動は、減速機構（５）へと伝達されてより高速に回転するようになり、この速度の増加が従動軸（４）に伝達されて、結果的にはタービン（７）へと伝達され、この自動慣性無段変速機（１）内における力のフィードバックを作り出す。
【００３４】
図６のフローチャートから分かるように、タービン（７）の動作によって生成される、スケーリング要素（２）の他の構成要素に対する力のフィードバックが、減速機構（５）によって実行される回転の減速を、車両の慣性モーメントの変化に依存して、１：２５から１：１までの範囲で変化させる。
【００３５】
保護ケーシング（１０ａ、１０ｂ、１０ｃ）は、自動慣性無段変速機（１）を被覆し且つ保護する役割を担う。これらの保護ケーシングは、駆動軸（３）と従動軸（４）とを挿通するための開口を有する。
【００３６】
従って、スケーリング要素（２）は、減速機構（５）から直接的に伝達された力と、フィン付き構造体（８）に対してタービン（７）によって生成された力との両方を用いて、駆動軸（３）により生成された回転を変換する役割と、それらを従動軸（４）に伝達する役割とを担う。
【００３７】
駆動軸（３）は、モーターにより生成されたトルクをスケーリング要素（２）へと伝達する役割を担う。駆動軸（３）の１つの端部は車両のモーターに連結されており、他の端部はスケーリング要素（２）内へと挿入されている。図４に示すように、スケーリング要素（２）内に挿入された駆動軸（３）の端部はピニオン（１１）を有し、そのピニオン（１１）は減速機構（５）の内部で正確に適合する歯を有し、ギヤ（５Ａ）を動かす。
【００３８】
従動軸（４）は、減速機構（５）とタービン（７）と車両の駆動輪とに連結している。従動軸（４）の機能は、スケーリング要素（２）により生成される力を車両の車輪へと伝達することである。この変換の結果は、モーターにより促進されたトルクと結合した車両の慣性モーメントに従う、速度、力、及び速度と力との組合せ、であってもよい。
【００３９】
車両の慣性モーメントはこの自動慣性無段変速機（１）にとって重要である。なぜなら、タービン（７）が従動軸（４）に対して直接的に固定されているため、従動軸（４）の回転と、タービン（７）がフィン付き構造体（８）に対して与える力とが、直接的な関係を有するからである。タービン（７）によって、フィン付き構造体（８）に対し、更にサテライト要素（６）に対して与えられる力は、減速機構（５）へと逆伝達され、従動軸（４）の回転を増大させる。この自動慣性無段変速機（１）の構成要素間におけるこのような一連の力の伝達は、高速で、且つ現状技術に属する自動変速機システムにより通常発生する衝撃を伴わずに、発生する。
【００４０】
図７は、自動慣性無段変速機（１）の構成要素であるロック部（１２）を示し、以下の要素を含む。
（ｉ）ギヤ（１３）
（ｉｉ）ドラム（１４）
（ｉｉｉ）ピン及びスプリング（１５）
（ｉｖ）接続リング（１６ａ，１６ｂ）
【００４１】
内側の歯を有し、且つドラム（１４）内に挿入されるべきギヤ（１３）は、ドラムの回転方向を制御する機能を有する。
【００４２】
ドラム（１４）は、フィン付き構造体（８）に対して固定された状態で働き、スケーリング要素（２）のブレーキングの役割を担う。
【００４３】
ピン及びスプリング（１５）は、ドラム（１４）のブレーキングのために協働して作動する。
【００４４】
接続リング（１６ａ，１６ｂ）は、ドラム（１４）の両側に挿入され、ドラム（１４）とフィン付き構造体（８）との動きによって発生する摩耗を防止する役割を担う。
【００４５】
ドラム（１４）はサテライト要素（６）に固定されているため、両方は常に同じ方向に回転する。従って、ドラム（１４）の回転が駆動軸（３）の回転方向と同じ方向になることをギヤ（１３）が許可した場合には、自動慣性無段変速機（１）は車両ギヤの連続的なスケーリングを促進して、ギヤ・シフトが迅速且つ衝撃なく行われることを可能にする。しかし、駆動軸（３）とは反対方向にドラム（１４）が回転することをギヤ（１３）が許可した場合には、自動慣性無段変速機（１）は従動軸（４）に対して回転を伝達することなく連結されたままになり、ビルトイン・クラッチとして作動する。
【００４６】
当業者には理解できるように、本発明の自動慣性無段変速機（１）は機械的な構成要素の数が少なく、従って本発明の対象物を製造するコストは、現在の市場にある自動変速機よりも低減される。
【００４７】
加えて、自動慣性無段変速機（１）の好適な適用例は自動車のエンジンから駆動輪へのトルク伝達を意図しているが、この自動慣性無段変速機（１）はまた、無制限の方法で、電気自動車の電気モーター、工具及び器具の電気モーター、風力タービン、電気及び従来型の二輪車、及び自動二輪車などの軸に適用可能である。
【００４８】
これまで本発明の特定の実施例について説明したが、これらの実施例において、本発明の精神及び範囲、即ち上記フィードバックから逸脱することなく変更を行うことができることは、当業者であれば理解するであろう。
【００４９】
従って、上述した実施例は説明的に提示されたものであり、限定的特徴を提示するものではない。本発明は上述した特別な実施例に限定されると解釈されるべきではない。従って、上述した実施例に対する追加的な変形例も、当業者の当然とするところである。
【００５０】
上述の実例は、単に本発明の実施例を説明するために提示したものであり、実施した試験に基づくものである。従って、これらの実例は、発明者らの権利を定義する上で利用されるべきではない。
【００５１】
実例１
加速性能試験
０〜１００ｋｍ／ｈの加速性能試験のシミュレーションが実行された。図８のグラフはそのシミュレーションの結果を示す。ここで、
灰色＝標準的な車両変速機
黒＝本発明の対象物である自動慣性無段変速機（１）
Ｘ軸：
Ａ＝フィアット  パリオ（Fiat Palio）
Ｂ＝アウディ  Ａ１（Audi A1）
Ｃ＝ホンダ  シビック（Honda Civic）
Ｄ＝ヒュンダイ  ベラクルーズ（Hyundai Vera Cruz）
Ｙ軸：
秒単位の時間
【００５２】
以下の表１は、図８のグラフの分析から得られるデータを示す。この表から、試験された全ての車両において、本発明の自動慣性無段変速機（１）を使用した場合に、元の車両変速機を使用した場合と比較して、性能の利得が得られたことが分かる。
【００５３】
【表１】
2015500968.tif 000003
【００５４】
実例２
性能試験−毎分回転数（ＲＰＭ）
これら第１の試験の期間中の最大回転数は、５０００ＲＰＭに維持されており、シミュレーションに使用された殆どの車のエンジンの最大回転パワーよりも低いものであった。以下の表２は試験結果を示す。
【００５５】
【表２】
2015500968.tif 000004
2015500968.tif 000005
【図１】
2015500968.tif 000006
【図２】
2015500968.tif 000007
【図３】
2015500968.tif 000008
【図４】
2015500968.tif 000009
【図５】
2015500968.tif 000010
【図７】
2015500968.tif 000011
【図８】
2015500968.tif 000012
【図６】
2015500968.tif 000013
【国際調査報告】
2015500968.tif 000014
2015500968.tif 000015
2015500968.tif 000016
2015500968.tif 000017